(57)【要約】【課題】  記録のための所定の準備期間を設けることなく、データを記録することが可能な光ディスク記録再生装置を提供する。【解決手段】  最初のデータ記録開始時においてはＩＮＣ方式で記録を開始する（ステップＳ１）。次に、未記録領域に対してＩＮＣ方式で記録可能かどうかを判断する（ステップＳ２）。次に、記録できないと判断した場合には、記録領域の最終部分にリードアウト（Temp Lead-out）を記録する（ステップＳ４）。そして、フォーマット２ＲＭＤの記録方式を変更する（ステップＳ５）。次に、フォーマット３ＲＭＤを新たに作成し、管理領域におけるＲＭＤに対してフォーマット３ＲＭＤを記録する（ステップＳ６）。そして、ＲＯＷ方式で記録を再開する（ステップＳ７）。【選択図】        図７
2006134378.tif 000002
【特許請求の範囲】
【請求項１】
データ情報を記録するデータ領域および前記データ領域を管理するための管理情報を記録する管理領域を有する追記可能な記録媒体に対して記録／再生する光ディスク記録再生装置であって、
前記記録媒体に対して前記データ情報および管理情報を記録／再生する記録再生手段と、
前記記録再生手段を制御する制御部とを備え、
前記記録再生手段は、前記記録媒体の前記管理領域に記録された記録方式である、所定の位置から連続的に未記録領域に対してデータを記録する第１の書込方式と、記録領域に対して上書きしながらデータを記録する第２の書込方式との一方を用いてデータを記録し、
前記制御部は、前記記録媒体の前記データ領域にデータを記録する際、前記第１の書込方式を用いて記録するとともに、前記記録媒体の前記管理領域に対して前記第１の書込方式であることを記録するように前記記録再生手段に指示し、
前記制御部は、次に記録されるデータが前記記録媒体の前記データ領域における前記未記録領域に対して前記第１の書込方式を用いて記録することができないと判断した場合には、前記記録媒体の前記管理領域に対して前記第２の書込方式であることを記録するとともに、前記次に記録されるデータを前記第２の書込方式を用いて記録するように前記記録再生手段に指示し、
前記第１の書込方式は、シーケンシャルレコーディングモード（Sequential Recording Mode）方式であり、第２の書込方式は、リストリクティッドオーバライトモード（Restricted Over Write Mode）方式であり、
前記記録媒体は、ＤＶＤ−ＲＷであり、
前記制御部は、次に記録されるデータが前記記録媒体の前記データ領域における前記未記録領域に対して前記第１の書込方式を用いて記録することができないと判断した場合には、前記記録媒体の記録領域の後にリードアウトを記録するように前記記録再生手段にさらに指示する、光ディスク記録再生装置。
【請求項２】
データ情報を記録するデータ領域および前記データ領域を管理するための管理情報を記録する管理領域を有する追記可能な記録媒体に対して記録／再生する光ディスク記録再生装置であって、
前記記録媒体に対して前記データ情報および管理情報を記録／再生する記録再生手段と、
前記記録再生手段を制御する制御部とを備え、
前記記録再生手段は、前記記録媒体の前記管理領域に記録された記録方式である、所定の位置から連続的に未記録領域に対してデータを記録する第１の書込方式と、記録領域に対して上書きしながらデータを記録する第２の書込方式との一方を用いてデータを記録し、
前記制御部は、前記記録媒体の前記データ領域にデータを記録する際、前記第１の書込方式を用いて記録するとともに、前記記録媒体の前記管理領域に対して前記第１の書込方式であることを記録するように前記記録再生手段に指示し、
前記制御部は、次に記録されるデータが前記記録媒体の前記データ領域における前記未記録領域に対して前記第１の書込方式を用いて記録することができないと判断した場合には、前記記録媒体の前記管理領域に対して前記第２の書込方式であることを記録するとともに、前記次に記録されるデータを前記第２の書込方式を用いて記録するように前記記録再生手段に指示する、光ディスク記録再生装置。
【請求項３】
前記第１の書込方式は、シーケンシャルレコーディングモード（Sequential Recording Mode）方式であり、第２の書込方式は、リストリクティッドオーバライトモード（Restricted Over Write Mode）方式である、請求項２記載の光ディスク記録再生装置。
【請求項４】
前記記録媒体は、ＤＶＤ−ＲＷである、請求項２記載の光ディスク記録再生装置。
【請求項５】
前記制御部は、次に記録されるデータが前記記録媒体の前記データ領域における前記未記録領域に対して前記第１の書込方式を用いて記録することができないと判断した場合には、前記記録媒体の記録領域の後にリードアウトを記録するように前記記録再生手段にさらに指示する、請求項２記載の光ディスク記録再生装置。
【発明の詳細な説明】
【技術分野】
【０００１】
本発明は、ＤＶＤ−ＲＷ（DVD-Rewritable）など追記可能な光ディスクに情報を記録する光ディスク記録再生装置に関する。
【背景技術】
【０００２】
従来より、大容量の光ディスクであるＤＶＤ（Digital versatile disc）において、情報の書込可能な光ディスクは、１回のみ書込可能なＤＶＤ−Ｒ（DVD-Recordable）、追記可能なＤＶＤ−ＲＷ（DVD-Rewritable）、ＤＶＤ−ＲＡＭ（DVD-Random Access Memory）等が提供されている。
【０００３】
ここで、高記録容量の光ディスクに映画等の情報（一般にはコンテンツと称される場合もある）を記録する場合、その記録方式には大別して次のような方式がある。
【０００４】
一つには、シーケンシャルすなわち連続的にデータを記録するシーケンシャルレコーディングモード（Sequential Recording Mode）方式で光ディスクの内周から外周に連続的にデータ記録が実行可能な記録方式である。
【０００５】
一方、もう１つの記録方式はランダムアクセス可能な記録方式であり、リストリクティッドオーバライトモード（Restricted Over Write Mode）方式（以下、単にＲＯＷ方式とも称する）で光ディスクの記録領域においてランダムなデータ記録が実行可能な記録方式である。
【０００６】
このシーケンシャルレコーディングモード方式は、そのモード方式において、さらに２つの方式があり、ディスクアットワンス（Disc at Once）方式（以下、単にＤＡＯ方式とも称する）と、インクリメンタルレコーディング（Incremental Recording）方式（以下、単にＩＮＣ方式とも称する）とがある。
【０００７】
このＤＡＯ方式とＩＮＣ方式とは共にシーケンシャルレコーディングモードであって上述したようにディスクの内周側から外周側に連続してデータ記録を実行するためいわゆるファイナライズ処理（たとえばすべてのディスク上のデータをヌル（０）に設定する等、初期値データを記録する処理）を実行することなくデータ記録を実行することができる。したがって、記録準備の時間を設けることなくすぐに記録を実行することができるという利点がある。
【０００８】
これらの記録方式は、記録再生装置が有するライティングソフト等のプログラムにより制御され、いずれかの記録方式がユーザあるいは管理者により選択されて、光ディスクに記録される。そして、この記録方式は、光ディスクの内周側の管理情報を記録する管理領域に記録されることになる。
【０００９】
一般的に、光ディスクの管理領域は、互換性を確保するために規格により定められているが、たとえば特開２００３−３３１５２６号公報等においては、その管理領域内に規格により定められた管理情報以外の他の管理情報等を記録することにより、光ディスクに対して種々の拡張ファイル等を記録／再生することが可能な技術が開示されている。
【特許文献１】特開２００３−３３１５２６号公報
【発明の開示】
【発明が解決しようとする課題】
【００１０】
しかしながら、記録方式に関する管理情報が一旦管理領域に記録された場合、その管理情報に記録された記録方式に関する情報を記録再生装置は再生して、再生結果に基づいて、たとえば未記録領域に対してさらに追記可能かあるいは追記不可か等の判別を実行するため、全く異なる別の記録方式でデータを記録することはできない。
【００１１】
したがって、一旦、たとえばＤＶＤ−ＲＷに対して記録準備の必要がないＤＡＯ方式あるいはＩＮＣ方式でデータ記録が実行された場合においては、後に上書きの必要性が生じた場合には、記録したデータを消去する必要があり、消去用の時間を確保する必要性があった。すなわち、再記録のための記録準備に時間がかかるという問題が発生していた。
【００１２】
一方、初めから上書きする必要性が生じる場合においては、いわゆるＲＯＷ方式でデータ記録を実行すればよいが、上述したようにファイナライズ処理を最初に実行する必要性があるため記録準備に時間がかかるという問題があった。すなわち、いずれの記録方式においても上書きするような場合においては所定の準備期間を設ける必要があった。
【００１３】
本発明は、上記のような問題を解決するためになされたものであって、記録のための所定の準備期間を設けることなく、データを記録することが可能な光ディスク記録再生装置を提供することを目的とする。
【課題を解決するための手段】
【００１４】
本発明に係る光ディスク記録再生装置は、データ情報を記録するデータ領域およびデータ領域を管理するための管理情報を記録する管理領域を有する追記可能な記録媒体に対して記録／再生する光ディスク記録再生装置であって、録媒体に対してデータ情報および管理情報を記録／再生する記録再生手段と、記録再生手段を制御する制御部とを備え、記録再生手段は、記録媒体の管理領域に記録された記録方式である、所定の位置から連続的に未記録領域に対してデータを記録する第１の書込方式と、記録領域に対して上書きしながらデータを記録する第２の書込方式との一方を用いてデータを記録し、制御部は、記録媒体のデータ領域にデータを記録する際、第１の書込方式を用いて記録するとともに、記録媒体の管理領域に対して第１の書込方式であることを記録するように記録再生手段に指示し、制御部は、次に記録されるデータが記録媒体のデータ領域における未記録領域に対して第１の書込方式を用いて記録することができないと判断した場合には、記録媒体の管理領域に対して第２の書込方式であることを記録するとともに、次に記録されるデータを第２の書込方式を用いて記録するように記録再生手段に指示し、第１の書込方式は、シーケンシャルレコーディングモード（Sequential Recording Mode）方式であり、第２の書込方式は、リストリクティッドオーバライトモード（Restricted Over Write Mode）方式であり、記録媒体は、ＤＶＤ−ＲＷであり、制御部は、次に記録されるデータが記録媒体のデータ領域における未記録領域に対して第１の書込方式を用いて記録することができないと判断した場合には、記録媒体の記録領域の後にリードアウトを記録するように記録再生手段にさらに指示する。
【００１５】
本発明に係る光ディスク記録再生装置は、データ情報を記録するデータ領域およびデータ領域を管理するための管理情報を記録する管理領域を有する追記可能な記録媒体に対して記録／再生する光ディスク記録再生装置であって、記録媒体に対してデータ情報および管理情報を記録／再生する記録再生手段と、記録再生手段を制御する制御部とを備え、記録再生手段は、記録媒体の管理領域に記録された記録方式である、所定の位置から連続的に未記録領域に対してデータを記録する第１の書込方式と、記録領域に対して上書きしながらデータを記録する第２の書込方式との一方を用いてデータを記録し、制御部は、記録媒体のデータ領域にデータを記録する際、第１の書込方式を用いて記録するとともに、記録媒体の管理領域に対して第１の書込方式であることを記録するように記録再生手段に指示し、制御部は、次に記録されるデータが記録媒体のデータ領域における未記録領域に対して第１の書込方式を用いて記録することができないと判断した場合には、記録媒体の管理領域に対して第２の書込方式であることを記録するとともに、次に記録されるデータを第２の書込方式を用いて記録するように記録再生手段に指示する。
【００１６】
好ましくは、第１の書込方式は、シーケンシャルレコーディングモード（Sequential Recording Mode）方式であり、第２の書込方式は、リストリクティッドオーバライトモード（Restricted Over Write Mode）方式である。
【００１７】
好ましくは、記録媒体は、ＤＶＤ−ＲＷである。
【００１８】
好ましくは、制御部は、次に記録されるデータが記録媒体のデータ領域における未記録領域に対して第１の書込方式を用いて記録することができないと判断した場合には、記録媒体の記録領域の後にリードアウトを記録するように記録再生手段にさらに指示する。
【発明の効果】
【００１９】
本発明に係る光ディスク記録再生装置は、連続的に未記録領域に対してデータを記録する第１の書込方式を用いて記録し、上書きする必要が生じた場合には、記録領域に対してデータを記録する第２の書込方式を用いて記録する。すなわち、上書きする必要が生じる場合には、記録領域に対していわゆるファイナライズ処理が不要な第２の書込方式を用いて記録するため上書きの際に必要な準備期間を要することなく上書きを実行することができる。
【発明を実施するための最良の形態】
【００２０】
以下、本発明の実施の形態について図面を参照しながら詳細に説明する。なお、図中同一または相当部分には同一符号を付し、その説明は繰返さない。
【００２１】
図１は、本発明の実施の形態に従う光ディスク記録再生装置の概略ブロック図である。
【００２２】
図１を参照して、光ディスク記録再生装置１は、ＤＶＤ等の同心円状又は渦巻状の情報記録トラックが形成された光ディスク７０に対して、音楽や映像等の情報の記録及び／又は再生を行なう。
【００２３】
光ディスク記録再生装置１は、ディスク挿入検知部２と、スピンドルモータ３と、光ピックアップ４と、移動モータ５と、レーザ駆動部６と、信号処理部７と、データスライス信号生成部８と、サーボ制御部（フォーカシング制御部、トラッキング制御部）９とを備える。さらに、光ディスク記録再生装置１は、映像・音声信号入出力部１０と、リモコン１１と、リモコン受信部１２と、表示部１３と、及び上記各部を制御するための制御部２０を備えている。
【００２４】
ディスク挿入検知部２は、光ディスク７０が不図示のディスク挿入部から挿入されたことを検出し、その信号を制御部２０へ入力する。挿入された光ディスク７０は、スピンドルモータ３に装着される。スピンドルモータ３は、制御部２０からの指示に従い回転駆動され、装着された光ディスク７０が所定速度で回転するように制御する。
【００２５】
光ピックアップ４は、光ディスク７０に対して情報の記録及び／又は再生を行なうための光を照射すると共に、光ディスク７０からの反射光を受光して電気信号に変換出力するものであり、制御部２０からの指示に基づきリニアモータから成る移動モータ５により光ディスク７０上でその半径方向に移動される。
【００２６】
この光ピックアップ４は、半導体レーザ４１から出射された光をコリメートレンズ４２、ビームスプリッタ４３および対物レンズ４４を介して光ディスク７０上に集光照射する。また、光ディスク７０上からの反射光を対物レンズ４４、ビームスプリッタ４３、及び集光レンズ４５を介して光検知器４６で受光する。
【００２７】
半導体レーザ４１は、制御部２０からの指示に応答して動作するレーザ駆動部６によりその発光が制御される。光検知器４６は、受光面が複数の領域に分割され、受光面毎に受光強度に応じた電気信号を出力する分割フォトダイオードから構成されており、光検知器４６からの出力信号は信号処理部７に入力される。
【００２８】
対物レンズ４４は、レンズホルダ４７に保持されており、レンズホルダ４７には、フォーカシングコイル４８と、トラッキングコイル４９が設けられている。フォーカシングコイル４８は、不図示の磁石との磁気作用により、対物レンズ４４を光ディスク７０のディスク面と垂直な方向へ移動させるものである。また、トラッキングコイル４９は、同様に、対物レンズ４４を光ディスク７０のディスク面と平行に光ディスク７０の記録トラックと垂直な方向へ移動させるものである。
【００２９】
信号処理部７は、光検知器４６からの出力信号に基づいて、ＲＦ信号（反射強度）を生成し、データスライス信号生成部８へ出力する。データスライス信号生成部８は、このＲＦ信号を２値化したデータスライス信号を生成し、制御部２０へ入力する。制御部２０では、このデータスライス信号に基づいて、光ディスク７０に形成されているピットを検出する。
【００３０】
また、信号処理部７は、光検知器４６からの出力信号に基づいて、フォーカスエラー信号及びトラックエラー信号を生成し、サーボ制御部９へ出力する。フォーカスエラー信号は、対物レンズ４４を介して光ディスク７０に照射する光の集光点の光ディスク７０面からのずれ量に対応する信号であり、トラックエラー信号は、集光点の記録トラックからのずれ量に対応する信号である。
【００３１】
サーボ制御部９は、これらフォーカスエラー信号及びトラックエラー信号に基づいて、フォーカシングコイル４８及びトラッキングコイル４９への電流供給を制御して対物レンズ４４を移動させ、それにより、集光点が光ディスク７０のディスク面上、かつ、記録トラック上に位置するようにサーボ制御する。
【００３２】
映像・音声信号入出力部１０には、不図示のディスプレイやスピーカ、テレビ受像機等の外部装置が接続され、光ディスク７０から再生した映像信号や音声信号の出力や、外部装置からの映像信号や音声信号の入力が行なわれる。
【００３３】
リモコン１１は、光ディスク記録再生装置１の各種の動作を操作するためのものであり、各種の動作を操作するための操作キー（何れも不図示）を備えている。リモコン７は、これらのキーの操作に応じて、対応する信号を赤外線信号で送出する。リモコン受信部１２は、リモコン１１から送出される赤外線信号を受信し、その信号を制御部２０へ出力する。表示部１３は、光ディスク記録再生装置１本体のフロントパネルに設けられ、リモコン１１により操作された内容や光ディスク記録再生装置１の動作状況等を表示する。
【００３４】
ここで、光ディスク７０に対する情報の記録／再生について説明する。まず、光ディスク７０からの情報の再生は、スピンドルモータ３により光ディスク７０を所定速度で回転させながら、半導体レーザ４１からの光を光ディスク７０に照射し、その反射光を光検知器４６で受光する。そして、サーボ制御部９により、信号処理部７からのフォーカスエラー信号に基づいてフォーカシングコイル４８への電流供給を制御して対物レンズ４４を移動させ、半導体レーザ４１からの光の集光点が光ディスク７０面上に位置するようにフォーカスオン（フォーカス引き込み）させる。さらに、サーボ制御部９により、信号処理部７からのトラックエラー信号に基づいてトラッキングコイル４９への電流供給を制御して対物レンズ４４を移動させ、半導体レーザ４１からの光の集光点が所望の記録トラック上に位置するようにトラックオン（トラック引き込み）させる。
【００３５】
フォーカスオン及びトラックオンさせた後は、サーボ制御部９により、フォーカスエラー信号及びトラックエラー信号に基づいてフォーカシングコイル４８及びトラッキングコイル４９への電流供給を制御し、フォーカスオン状態及びトラックオン状態を維持するようにフォーカシングサーボ制御及びトラッキングサーボ制御が行なわれる。
【００３６】
そして、このサーボ状態で信号処理部７から出力されたＲＦ信号がデータスライス信号生成部８に入力され、データスライス信号生成部８によりＲＦ信号を２値化して生成されたデータスライス信号が制御部２０に入力される。制御部２０は、このデータスライス信号を基に光ディスク７０に形成されているピットの有無を検出して光ディスク７０に記録されている情報を読取り、読取った情報を映像信号や音声信号に再生して、映像・音声信号入出力部１０から外部装置へ出力する。
【００３７】
また、光ディスク７０への情報の記録は、同様に、フォーカシング及びトラッキングのサーボ状態で、半導体レーザ４１からの光により光ディスク７０上にピットを形成することにより行なわれる。このとき、映像・音声信号入出力部１０から入力された映像信号や音声信号が制御部２０により符号化され、半導体レーザ４１が、制御部２０による制御のもと、その符号化データに応じて発光制御される。これにより、その符号化データに応じたピットが光ディスク７０の記録トラックに形成され、映像や音声の情報が記録される。ピットの形成は、半導体レーザ４１を情報の読取り時よりも高出力で発光させることにより可能としている。
【００３８】
上記構成の光ディスク記録再生装置１は、制御部２０による制御のもと、リモコン１１を操作することにより、光ディスク７０からの情報の再生や、光ディスク７０への情報の記録等を行なう。また、光ディスク記録再生装置１は、制御部２０による制御のもと、光ディスク７０が挿入されると、光ディスク７０の最内周側に記録されている情報を読取る初期動作を行なう。そして、初期動作で読取った情報に基づいて、挿入された光ディスク７０の種類や記録内容を判断し、その後の情報の記録や再生等の動作を制御する。
【００３９】
以下、本発明の実施の形態に従う光ディスク７０の管理領域に対して記録する記録方式について説明する。本例においては、一例としてＤＶＤ−ＲＷの光ディスクを例に挙げて説明する。なお、光ディスク７０の管理領域等に関する情報の制御は制御部２０において実行するものとする。
【００４０】
図２を用いて光ディスク７０の管理領域について説明する。
【００４１】
図２を参照して、光ディスク７０の管理領域として、データを記憶する領域であるデータ領域すなわちデータエリア（Data Area）の内周にリードインゾーン（Lead-in Zone）が設けられる。そして、リードインゾーンのさらに内周にＲインフォメーションエリア（R-information Area）が設けられる。なお、Ｒインフォメーションエリアとリードインゾーンとの間には、領域を区切るための１ECC Block（32KB）のリンキングロスエリア（Linking Loss Area）が設けられる。
【００４２】
そして、Ｒインフォメーションエリアは、記録時の半導体レーザのパワー校正に用いられるデータ情報が格納されるＰＣＡ（Power Calibration Area）と、種々の制御情報等の管理情報を記録するＲＭＡ（Recording Management Area）とに分けられる。なお、ＰＣＡとＲＭＡとは、上述した領域を区切るためのリンキングロスエリアにより分けられている。
【００４３】
また、ＲＭＡは、ＲＭＡリードイン（RMA Lead-in）と、ＲＭＤにより構成されている。
【００４４】
図３は、ＲＭＡリードインについて説明する図である。
【００４５】
図３を参照して、ＲＭＡリードインは、システムリザーブドフィールド（System Reserved Field）とユニークアイデンティフィアフィールド（Unique Identifier Field）とで構成されている。
【００４６】
図４は、ＲＭＡリードイン（RMA Lead-in）に記録されるフィールド内容を説明する図である。
【００４７】
システムリザーブドフィールドは、基本的に未使用領域として確保される。また、ユニークアイデンティフィアフィールドは、ドライブ製造者ＩＤ、ドライブシリアルナンバー、ドライブモデルナンバー、ディスクＩＤ等の情報が記録される。
【００４８】
そして、ＲＭＤに記録時の記録方式に関する情報等が格納される。
【００４９】
図５は、ＲＭＤに記録される記録方式に関するフォーマットの種類を説明する図である。
【００５０】
図５を参照して、記録方式としてＤＡＯ方式およびＩＮＣ方式の記録方式が採用される場合には、フォーマット（Format）１ＲＭＤと呼ばれる情報がＲＭＤに記録される。そして、フォーマット（Format）２ＲＭＤと呼ばれる情報もＲＭＤに記録されることになる。  
【００５１】
一方、記録方式としてＲＯＷ方式の記録方式が採用される場合には、フォーマット（Format）３ＲＭＤと呼ばれる情報がＲＭＤに記録される。そして、フォーマット（Format）２ＲＭＤと呼ばれる情報もＲＭＤに記録されることになる。これらは規格により定められているフォーマットであり、制御部２０内において計算等の処理に基づき作成されてＲＭＤに記録される。
【００５２】
図６は、ＲＭＤに記録されるフォーマットについて説明する図である。
【００５３】
図６（ａ）は、ＲＭＤ内に記録されるデータの種類を分類したものである。具体的には、固定値、ステータス、ドライブ情報、数値、ディフェクト、カウンタが記録される。
【００５４】
図６（ｂ）は、規格で定められているフォーマット（Format）１ＲＭＤの構成図である。ここで示されるように、フィールド（Field）０〜１２において、規格で定められている各種データが記録される。
【００５５】
図６（ｃ）および（ｄ）は、規格で定められているフォーマット２ＲＭＤおよびフォーマット３ＲＭＤの構成図である。
【００５６】
図７のフローチャート図を用いて、本発明の実施の形態に従う光ディスクに対してデータを記録する際の記録方式について説明する。
【００５７】
図７を参照して、記録を開始（ステップＳ０）し、最初のデータ記録開始時においてはＩＮＣ方式で記録を開始する（ステップＳ１）。したがって、管理領域におけるＲＭＤには、フォーマット（Format）１ＲＭＤおよびフォーマット（Format）２ＲＭＤの情報が記録されることになる。
【００５８】
次に、未記録領域に対してＩＮＣ方式で記録可能かどうかを判断する（ステップＳ２）。次にデータが入力されて記録する場合、ステップＳ２において、記録可能であると判断した場合には、次のステップＳ３に進み、ＩＮＣ方式で記録を続行する（ステップＳ３）。そして、再びステップＳ２に戻る。
【００５９】
一方、たとえば次にデータが入力されて記録する場合、未記録領域に対してデータの記録量が大きい場合には、すべてのデータを記録することができない。したがって、そのような場合には、未記録領域に対してＩＮＣ方式で記録できないと判断する。ステップＳ２において、記録できないと判断した場合には、ステップＳ４に進む。そして、記録領域の最終部分にリードアウト（Temp Lead-out）を記録する。ここで、リードアウトを記録した理由は、規格によりＲＯＷ方式においては、リードアウトが必要となるからである。
【００６０】
そして、管理領域におけるＲＭＤにおいて、フォーマット（Format）２ＲＭＤの記録方式のデータを変更する（ステップＳ５）。具体的には、フォーマット（Format）２ＲＭＤに記録されている記録方式をＩＮＣ方式からＲＯＷ方式に変更する。
【００６１】
そして、制御部２０は、今までにおいてデータを記録してきた種々の制御情報からフォーマット３ＲＭＤを新たに作成し、管理領域におけるＲＭＤに対してフォーマット３ＲＭＤを記録する（ステップＳ６）。
【００６２】
これにより、光ディスク７０に対してＲＯＷ方式で記録を実行することができ、ＲＯＷ方式（ステップＳ７）で記録を再開する。そして、データ記録が完了した場合には、記録を終了する（ステップＳ８）。
【００６３】
図８は、図７に従う記録方式の変更を概略的に説明する図である。
【００６４】
図８（ａ）に示されるようにＤＶＤ−ＲＷにおいて、最初の１回目の記録開始は、シーケンシャルレコーディング方式で記録される。このシーケンシャルレコーディングは、上書きができないが、上述したようにファイナライズ処理が不要であり、記録準備が不要である。そして、未記録領域に対してたとえばＩＮＣ方式で記録できないと判断した場合には、図８（ｂ）に示されるように記録領域の最終領域にリードアウトを記録する。そして、図８（ｃ）に示されるようにＲＭＡにおいて、フォーマット３ＲＭＤを記録する。図示していないが、フォーマット２ＲＭＤの記録方式もＲＯＷ方式である旨を変更する。これにより、図８（ｄ）に示されるように記録領域に対してＲＯＷ方式を用いて上書きが可能となる。すなわち、ＲＯＷ方式において、記録領域に対する上書きにおいては既になんらかの情報が記録されているためファイナライズする必要はなくすぐに記録することができる。したがって、本実施の形態に従う記録方式により、第１回目の記録時においては、ＩＮＣ方式を用いて記録準備をすることなく記録し、未記録領域に対してたとえばＩＮＣ方式で記録できないと判断した場合に記録方式をＩＮＣ方式からＲＯＷ方式に変更する。これにより、記録領域に対してＲＯＷ方式を用いて上書きするためＲＯＷ方式におけるファイナライズ処理すなわち記録準備期間が不要でありすぐに記録することができる。すなわち、本実施の形態に従う光ディスク記録再生装置により、記録のための所定の準備期間を設けることなく、データを記録することができる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６６】
【図１】本発明の実施の形態に従う光ディスク記録再生装置の概略ブロック図である。
【図２】光ディスク７０の管理領域について説明する図である。
【図３】ＲＭＡリードインについて説明する図である。
【図４】ＲＭＡリードイン（RMA Lead-in）に記録されるフィールド内容を説明する図である。
【図５】ＲＭＤに記録される記録方式に関するフォーマットの種類を説明する図である。
【図６】ＲＭＤに記録されるフォーマットについて説明する図である。
【図７】本発明の実施の形態に従う光ディスクに対してデータを記録する際の記録方式について説明するフローチャート図である。
【図８】図７に従う記録方式の変更を概略的に説明する図である。
【符号の説明】
【００６７】
１  光ディスク記録再生装置、２  ディスク挿入検知部、３  スピンドルモータ、４  光ピックアップ、５  移動モータ、７  信号処理部、８  データスライス信号生成部、９  サーボ制御部（フォーカシング制御部、トラッキング制御部）、２０  制御部、４１  半導体レーザ、４４  対物レンズ、４６  光検知器、７０  光ディスク。
【図１】
2006134378.tif 000003
【図２】
2006134378.tif 000004
【図３】
2006134378.tif 000005
【図４】
2006134378.tif 000006
【図５】
2006134378.tif 000007
【図６】
2006134378.tif 000008
【図７】
2006134378.tif 000009
【図８】
2006134378.tif 000010